(57)【要約】【課題】専用部品を追加することなくパネル本体を基準角度で落ち着かせ、外観品質の向上及び変位開始時の操作感を得ることができるチルトパネル及び記録装置を提供する。【解決手段】互いに異なる角度に設けられた複数のチルト歯４１のいずれか一つの下面４１ｂ側とレバー５０の先端部５１の上面５１ａ側とを係止させることで基準角度から所定角度に変位自在な操作パネル２０であって、基準角度の状態において、チルト歯４１Ａの上面４１ａ側と、レバー５０の先端部５１の下面５１ｂ側とを係止させる係止部６０を有するという構成を採用する。【選択図】図２
2011101963.tif 000002
【特許請求の範囲】
【請求項１】
互いに異なる角度に設けられた複数のチルト歯のいずれか一つの下面側とレバーの先端部の上面側とを係止させることで基準角度から所定角度に変位自在なチルトパネルであって、
前記基準角度の状態において、前記チルト歯の上面側と、前記レバーの先端部の下面側とを係止させる係止部を有することを特徴とするチルトパネル。
【請求項２】
前記係止部の前記チルト歯は、他の角度に設けられた前記チルト歯よりも、歯厚が大きいことを特徴とする請求項１に記載のチルトパネル。
【請求項３】
前記係止部の前記チルト歯は、他の角度に設けられた前記チルト歯よりも、歯たけが大きいことを特徴とする請求項１または２に記載のチルトパネル。
【請求項４】
前記複数のチルト歯の上面側は、パネル本体が前記基準角度から前記所定角度に向かうチルト方向に傾いており、
前記係止部の前記チルト歯の上面側は、他の角度に設けられた前記チルト歯の上面側よりも、前記チルト方向の傾きが小さいことを特徴とする請求項１〜３のいずれか一項に記載のチルトパネル。
【請求項５】
前記レバーは、前記係止させる位置と前記係止を解除する位置との間において前記先端部を回動させる回動軸を有し、
前記係止部の前記チルト歯の上面側は、該上面側と前記レバーの先端部の下面側とが接する接点と前記回動軸の軸中心とを結ぶ直線に対して該接点から引いた垂線に対する前記傾きの角度が、前記チルト歯の上面側と前記レバーの先端部の下面側との間の摩擦力に基づいて設定されていることを特徴とする請求項４に記載のチルトパネル。
【請求項６】
請求項１〜５のいずれか一項に記載のチルトパネルを有することを特徴とする記録装置。
【発明の詳細な説明】
【技術分野】
【０００１】
本発明は、チルトパネル及び記録装置に関する。
【背景技術】
【０００２】
記録媒体に記録処理を実施する記録装置は、例えば記録ヘッドを備えてインクジェットによる記録処理を実施する形態や、感光体に静電潜像を形成し、トナー像を記録媒体に転写して記録処理を実施する形態等がある。
記録装置は、例えば下記特許文献１のように、所定の情報を表示する表示部や所定の情報を入力するボタン部を有する操作パネルを備えて、ユーザーが該操作パネルを操作することで記録処理に係る所望の設定や操作を行う。特許文献１に記載の操作パネルは、チルト機構を備えており、ユーザーが操作し易い任意の角度に変位させることが可能な構成となっている。
【先行技術文献】
【特許文献】
【０００３】
【特許文献１】特開２００７−８１２４８号公報
【発明の概要】
【発明が解決しようとする課題】
【０００４】
チルト機構の形態としては、特許文献１に記載のようにモータ等を用いて電動でパネルの角度を変位させる形態の他に、ラチェット機構等を用いて手動でパネルの角度を変位させる形態がある。この形態では、ユーザーがレバーを操作して、互いに異なる角度に設けられた複数のチルト歯のいずれか一つの下面側とレバーの先端部の上面側とを係止させることで、パネルの角度を基準角度から所定角度へと変位させている。
ところで、このように角度が変位自在なチルトパネルにおいては、基準角度の状態においてパネル本体を落ち着かせ、且つ、変位開始時にユーザーに操作感（クリック感、抵抗感）を与えるために、バネ機構を有するロックスタッカーを用いて、パネル本体を基準角度の状態で所定の付勢力を与えてロックしている。しかしながら、このロックスタッカーを用いると、パネル本体にロックスタッカーが嵌り込む溝を形成しなければならず、角度変位時にその溝がパネル本体の外観に現れてしまう。また、角度変位時に、ロックスタッカーがパネル本体と擦れて、その擦傷が外観品質を損なわせてしまう。また、このロックスタッカーのような専用部品の追加は、部品コスト及び組立コストが掛かるという問題がある。
【０００５】
本発明は、上記問題点に鑑みてなされたもので、専用部品を追加することなくパネル本体を基準角度で落ち着かせ、外観品質の向上及び変位開始時の操作感を得ることができるチルトパネル及び記録装置を提供することを目的としている。
【課題を解決するための手段】
【０００６】
上記の課題を解決するために、本発明は、互いに異なる角度に設けられた複数のチルト歯のいずれか一つの下面側とレバーの先端部の上面側とを係止させることで基準角度から所定角度に変位自在なチルトパネルであって、上記基準角度の状態において、上記チルト歯の上面側と、上記レバーの先端部の下面側とを係止させる係止部を有するという構成を採用する。
このような構成を採用することによって、本発明では、チルト歯の上面側とレバー先端部の下面側とを基準角度で係止させて、専用部品を追加することなくパネル本体を基準角度で落ち着かせると共に変位開始時の抵抗感を与える。
【０００７】
また、本発明においては、上記係止部の上記チルト歯は、他の角度に設けられた上記チルト歯よりも、歯厚が大きいという構成を採用する。
このような構成を採用することによって、本発明では、係止部のチルト歯の歯厚を大きくして、変位開始時にレバー先端部が係止部のチルト歯を乗り越えるため抵抗感を、他のチルト歯を乗り越えるための抵抗感よりも大きくする。
【０００８】
また、本発明においては、上記係止部の上記チルト歯は、他の角度に設けられた上記チルト歯よりも、歯たけが大きいという構成を採用する。
このような構成を採用することによって、本発明では、係止部のチルト歯の歯たけを大きくして、変位開始時にレバー先端部が係止部のチルト歯を乗り越えるため抵抗感を、他のチルト歯を乗り越えるための抵抗感よりも大きくする。
【０００９】
また、本発明においては、上記複数のチルト歯の上面側は、パネル本体が上記基準角度から上記所定角度に向かうチルト方向に傾いており、上記係止部の上記チルト歯の上面側は、他の角度に設けられた上記チルト歯の上面側よりも、上記チルト方向の傾きが小さいという構成を採用する。
このような構成を採用することによって、本発明では、係止部のチルト歯の傾きを小さくして、変位開始時にレバー先端部が係止部のチルト歯を乗り越えるため抵抗感を、他のチルト歯を乗り越えるための抵抗感よりも大きくする。
【００１０】
また、本発明においては、上記レバーは、上記係止させる位置と上記係止を解除する位置との間において上記先端部を回動させる回動軸を有し、上記係止部の上記チルト歯の上面側は、該上面側と上記レバーの先端部の下面側とが接する接点と上記回動軸の軸中心とを結ぶ直線に対して該接点から引いた垂線に対する上記傾きの角度が、上記チルト歯の上面側と上記レバーの先端部の下面側との間の摩擦力に基づいて設定されているという構成を採用する。
このような構成を採用することによって、本発明では、係止部のチルト歯の上面側とレバーの先端部の下面側との間の摩擦力に基づいて、係止部のチルト歯の上面側の傾き角度が設定されるため、変位開始時にレバー先端部が係止部のチルト歯を乗り越えるため抵抗感を適切に与えることができる。
【００１１】
また、本発明においては、先に記載のチルトパネルを有する記録装置を採用する。
【図面の簡単な説明】
【００１２】
【図１】本発明の実施形態におけるインクジェットプリンターを示す斜視図である。
【図２】本発明の実施形態における操作パネルを右側面から視た構成図である。
【図３】本発明の実施形態における操作パネルの要部拡大図である。
【図４】本発明の実施形態における操作パネルの変位開始時を示す図である。
【図５】本発明の実施形態における操作パネルの変位開始時の要部拡大図である。
【図６】本発明の実施形態における操作パネルの変位終了時を示す図である。
【図７】本発明の実施形態における操作パネルの変位終了時の要部拡大図である。
【図８】本発明の実施形態におけるチルト歯の上面側の角度θの条件について説明するための図である。
【発明を実施するための形態】
【００１３】
以下、本発明に係るチルトパネル及び記録装置の実施形態について、図を参照して説明する。なお、以下の説明に用いる各図面では、各部材を認識可能な大きさとするため、各部材の縮尺を適宜変更している。本実施形態では、本発明に係るチルトパネルを有する記録装置として、操作パネルを有するインクジェット式プリンター（以下、インクジェットプリンターと称する）を例示する。
【００１４】
図１は、本発明の実施形態におけるインクジェットプリンター１を示す斜視図である。
インクジェットプリンター１は、記録用紙（記録媒体）をスタックするスタック部１０と、ユーザーが所定の情報を入力する操作パネル２０とを有する。
【００１５】
スタック部１０は、ハウジング２に形成された取出口３において、給紙トレイ１１上に排紙トレイ１２が設けられる構成となっている。給紙トレイ１１は、記録用紙の取出方向下流側（装置手前側）に引き出し可能な構成となっている。
操作パネル２０は、スタック部１０の上部に設けられており、ハウジング２と同一面を形成する基準角度から所定の角度へと変位可能なチルト機構（後述）を備える。
【００１６】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、文字や画像等の所望の情報を記録する記録処理を実施する。記録処理を経た記録用紙は、給紙トレイ１１上に配置された排紙トレイ１２上に排紙されてスタックされる。
【００１７】
次に、図２及び図３を参照して、本実施形態の操作パネル２０のチルト機構について説明する。
図２は、本発明の実施形態における操作パネル２０を右側面から視た構成図である。
図３は、本発明の実施形態における操作パネル２０の要部拡大図である。
図に示すように、操作パネル２０は、手動でパネルの角度を変位させるラチェット形態のチルト機構を有している。操作パネル２０は、パネル本体３０と、チルト歯ユニット４０と、レバー５０とを有する。操作パネル２０は、チルト歯ユニット４０のチルト歯４１の下面４１ｂ側と、レバー５０の先端部５１の上面５１ａ側とを係止させることで、所定角度に変位自在な構成となっている。
【００１８】
パネル本体３０の表面３０ａには、表示部及びボタン部が設けられる（図１参照）。パネル本体３０は、その両側面から突出して設けられた回動軸３１を有する。回動軸３１は、ハウジング２に固定された軸受に軸支されており、パネル本体３０は、この回動軸３１を通る軸周りに変位自在な構成となっている。
チルト歯ユニット４０は、パネル本体３０の裏面３０ｂ側に配置されてパネル本体３０と独立してハウジング２に固定されている。チルト歯ユニット４０は、回動軸３１を中心とした基準円に沿って設けられて互いに異なる角度に配置される複数のチルト歯４１を有する。
【００１９】
チルト歯４１は、歯を傾けたラック形状となっており、上面４１ａ側では、パネル本体３０を時計回りに回動させる力が加わった時に、レバー５０の先端部５１が乗り越えられるような傾斜となっており、一方の下面４１ｂ側では、パネル本体３０を反時計回りに回動させる力が加わった時に、レバー５０の先端部５１の歯の乗り越えを防止するような傾斜となっている。
【００２０】
レバー５０は、パネル本体３０の裏面３０ｂ側に配置されてパネル本体３０と一体的に変位可能な構成となっている。レバー５０は、その先端部５１をチルト歯４１のいずれか一つと係止させる係止位置と、該係止を解除する係止解除位置との間において回動させる回動軸５２を有する。回動軸５２は、パネル本体３０の裏面３０ｂに設けられた軸受部３２に軸支されている。このレバー５０は、先端部５１が不図示のバネ部材によって裏面３０ｂに向かって付勢されており（図３において符号Ｋで示す）、回動軸５２を挟んで先端部５１と逆側の取手部５４をユーザーが操作することで、先端部５１とチルト歯４１との係止／係止解除が可能な構成となっている。
【００２１】
上記構成の操作パネル２０は、パネル本体３０が基準角度にあるときに、チルト歯４１の上面４１ａ側と、レバー５０の先端部５１の下面５１ｂ側とを係止させる係止部６０を有する。この係止部６０は、基準角度の状態においてパネル本体３０を落ち着かせ、且つ、変位開始時にユーザーに操作感（クリック感、抵抗感）を与えるように機能する。
なお、以下の係止部６０の説明では、係止部６０を構成するチルト歯ユニット４０の一段目のチルト歯を他のチルト歯と区別するために４１Ａの符号を付して説明する。
【００２２】
図３に示すように、係止部６０のチルト歯４１Ａは、他の角度に設けられたチルト歯４１の形状と異なった形状を有している。このチルト歯４１Ａは、パネル本体３０の変位開始時にレバー５０の先端部５１がチルト歯４１Ａを乗り越えるため抵抗感を、他のチルト歯４１を乗り越えるための抵抗感よりも大きくさせる、以下の特徴的な形状を有する。
【００２３】
第１に、チルト歯４１Ａは、他のチルト歯４１よりも歯厚が大きくなっている。歯厚が大きくなると、レバー５０の先端部５１がチルト歯４１Ａを乗り越えるための移動距離が大きくなるため、他のチルト歯４１を乗り越えるための抵抗感よりも大きな抵抗感が生じる。
第２に、チルト歯４１Ａは、他のチルト歯４１よりも歯たけが大きくなっている。歯たけが大きくなると、レバー５０の先端部５１がチルト歯４１Ａを乗り越えるために回動軸５２周り（時計回り）に回動する距離が大きくなるため、他のチルト歯４１を乗り越えるための抵抗感よりも大きな抵抗感が生じる。
第３に、チルト歯４１Ａの上面４１ａ側は、他のチルト歯４１の上面４１ａよりもチルト方向の傾きが小さくなっている。上面４１ａ側の傾きが小さくなると、レバー５０の先端部５１がチルト歯４１Ａを乗り越えるためにパネル本体３０を回動軸３１周り（時計回り）に回動させるために必要な力が大きくなるため、他のチルト歯４１を乗り越えるための抵抗感よりも大きな抵抗感が生じる。
【００２４】
次に、上述した図に加えて図４〜図７を参照して、上記構成の操作パネル２０のチルト動作及び作用について説明する。
図４は、本発明の実施形態における操作パネル２０の変位開始時を示す図である。
図５は、本発明の実施形態における操作パネル２０の変位開始時の要部拡大図である。
図６は、本発明の実施形態における操作パネル２０の変位終了時を示す図である。
図７は、本発明の実施形態における操作パネル２０の変位終了時の要部拡大図である。
【００２５】
図２及び図３に示すように、パネル本体３０が、基準角度の状態のとき、係止部６０において、チルト歯４１Ａの上面４１ａ側とレバー５０の先端部５１の下面５１ｂ側とが係止状態にある。したがって、パネル本体３０に予期しない衝撃や振動が加わって、パネル本体３０が回動軸３１周りに回動しようとしても、図３に示すように、レバー５０の先端部５１の下面５１ｂ側がチルト歯４１Ａの上面４１ａ側で係止されるため、基準角度の状態においてパネル本体３０を落ち着かせることができる。
【００２６】
また、図４及び図５に示す変位開始時では、ユーザーがパネル本体３０の下端部を把持して装置手前側に持ち上げる操作を行う。パネル本体３０が装置手前側に持ち上がると、チルト歯４１Ａの上面４１ａ側とレバー５０の先端部５１の下面５１ｂ側との係止状態が解除される。チルト歯４１Ａの上面４１ａ側は、チルト方向に傾いているため、取手部５４をユーザーが操作することなく、レバー５０の先端部５１がチルト歯４１Ａを乗り越える。このチルト歯４１Ａの乗り越え時には、チルト歯４１Ａの上述した形状によって他のチルト歯４１よりも大きな抵抗感が生まれる。そして、チルト歯４１Ａを乗り越えたレバー５０の先端部５１は、バネ部材の付勢によって係止位置に位置して、レバー５０の先端部５１の上面５１ａ側と乗り越えたチルト歯４１Ａの下面４１ｂとが係止状態となる。このように、レバー５０の先端部５１が変位開始時にチルト歯４１Ａを乗り越えることで、クリック感が発生する。
【００２７】
また、図６及び図７に示す変位終了時では、ユーザーが取手部５４を操作しつつパネル本体３０の下端部を把持して装置奥側に押し込む操作を行う。レバー５０の取手部５４を裏面３０ｂ側に押し付けると、レバー５０の先端部５１が係止位置から係止解除位置に回動し、パネル本体３０を反時計回りに回動させることが可能となる。
そして、図７に示すような角度にパネル本体３０を変位させた時に、レバー５０の取手部５４の押し付けを解除すると、レバー５０の先端部５１は、バネ部材の付勢によって、チルト歯４１の上面４１ａ側に引き込まれることで、クリック感発生する。そして、パネル本体３０が基準角度で、チルト歯４１Ａの上面４１ａ側とレバー５０の先端部５１の下面５１ｂ側とが係止状態となることで、基準角度の状態においてパネル本体３０を落ち着かせることができる。
【００２８】
上述のように、本実施形態では、互いに異なる角度に設けられた複数のチルト歯４１のいずれか一つの下面４１ｂ側とレバー５０の先端部５１の上面５１ａ側とを係止させることで基準角度から所定角度に変位自在な操作パネル２０であって、基準角度の状態において、チルト歯４１Ａの上面４１ａ側と、レバー５０の先端部５１の下面５１ｂ側とを係止させる係止部６０を有するという構成を採用することによって、基準角度からの変位開始時及び基準角度への変位終了時に適度な操作感（クリック感、抵抗感）を伴いながら、パネル本体３０が基準角度に落ち着く機構を、専用部品を追加することなく実現することができる。また、係止部６０は、パネル本体３０の裏面３０ｂ側に配置され、角度変位時にパネル本体３０の外観に現れることはないため外観品質が向上する。また、従来に比べて部品数が少ないため、部品コスト及び組立コストを低減させることができる。
【００２９】
次に、図８を参照して、パネル本体３０を装置手前側に持ち上げる操作により、係止部６０におけるロックを開放するためのチルト歯４１Ａの上面４１ａ側の角度θの条件について説明する。
図８は、本発明の実施形態におけるチルト歯４１Ａの上面４１ａ側の角度θの条件について説明するための図である。
【００３０】
図８に示す角度θは、パネル本体３０をチルトさせるために装置手前側に持ち上げたときに、レバー５０の先端部５１の下面５１ｂ側とチルト歯４１Ａの上面４１ａ側の噛み合いが外れるための解放角度を規定する。また、角度θは、チルト歯４１Ａの上面４１ａ側とレバー５０の先端部５１の下面５１ｂ側とが接する接点Ｐと回動軸５２の軸中心とを結ぶ直線Ｌ１に対して接点Ｐから引いた垂線Ｌ２に対するチルト方向の傾きの角度のことを指す。
【００３１】
角度θが大きいほど、パネル本体３０を基準角度から変位させるための力が小さくなり、パネル本体３０の基準角度におけるロックの力が弱まる。
一方で、角度θが小さいほど、パネル本体３０を基準角度から変位させるための力が大きくなり、パネル本体３０の基準角度におけるロックの力が強まる。しかし、角度θが、小さ過ぎると、パネル本体３０を操作しただけでは基準角度におけるロックが外れなくなる場合がある。
ここで、変位開始時にレバー５０の先端部５１とチルト歯４１Ａとの噛み合いが外れる条件の境界角度θを求めると次のようになる。
【００３２】
図８に示す矢印Ｆは、パネル本体３０のチルト操作時に、レバー５０の先端部５１からチルト歯４１Ａに対して作用する力を示す。
また、図８に示す矢印Ｆ１は、力Ｆが作用したときに、ロックを解除する方向に作用する力成分を示し、下式（１）で表される。
Ｆ１  ＝  Ｆ×ｓｉｎθ  …（１）
また、図８に示す矢印Ｆ２は、力Ｆが作用したときに、ロックを解除する方向と逆方向に作用する摩擦力を示し、下式（２）で表される。ここで、μは、静摩擦係数を示す。
Ｆ２  ＝  μ×Ｆ×ｃｏｓθ  …（２）
なお、チルト歯４１Ａ及びレバー５０の先端部５１が共にＡＢＳ樹脂から形成されている場合、μ＝０．５となる。
【００３３】
レバー５０の先端部５１とチルト歯４１Ａとの噛み合いが外れる条件は、下式（３）で表される。
Ｆ１  ＞  Ｆ２  …（３）
式（３）に、式（１）及び式（２）を代入して展開すると、下式（４），（５）で表される。
Ｆ×ｓｉｎθ  ＞  ０．５×Ｆ×ｃｏｓθ  …（４）
ｔａｎθ  ＞  ０．５  …（５）
【００３４】
したがって、角度θの条件は、下式（６）で表される。
θ  ≧  ２６．５  …（６）
つまり、チルト歯４１Ａ及びレバー５０の先端部５１が共にＡＢＳ樹脂から形成されている場合、角度θは、２６．５度以上が必要となる。
このように、摩擦力に基づいて境界角度θを求めることで、変位開始時にレバー５０の先端部５１がチルト歯４１Ａを乗り越えるため抵抗感を適切に与えることができる。
【００３５】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３６】
例えば、上述の実施形態においては、記録装置がインクジェットプリンター１である場合を例にして説明したが、インクジェットプリンターに限られず、複写機及びファクシミリ等の装置であってもよい。
【符号の説明】
【００３７】
１…インクジェットプリンター（記録装置）、２０…操作パネル（チルトパネル）、３０…パネル本体、４０…チルト歯ユニット、４１…チルト歯、４１Ａ…チルト歯（係止部のチルト歯）、４１ａ…上面、４１ｂ…下面、５０…レバー、５１…先端部、５１ａ…上面、５１ａ…下面、５２…回動軸、６０…係止部、θ…角度
【図１】
2011101963.tif 000003
【図２】
2011101963.tif 000004
【図３】
2011101963.tif 000005
【図４】
2011101963.tif 000006
【図５】
2011101963.tif 000007
【図６】
2011101963.tif 000008
【図７】
2011101963.tif 000009
【図８】
2011101963.tif 000010